(57)【要約】【課題】ふかし壁内部に天井上方の空気が流入するのを防止してふかし壁部分における気密性を確保すること。【解決手段】住宅の壁２に沿って形成された気密面３の屋内側にふかし材４が列設され、該ふかし材４に壁ボード５を貼設してふかし壁６が設けられたふかし壁部分の気密構造１であって、前記壁ボード５と天井ボード７とが気密ジョイント８により接続され、前記ふかし材４間に、天井ボード７と略同高さとなるように、弾力性を有する気密部材９を密嵌する。【選択図】      図１
2004225410.tif 000002
【特許請求の範囲】
【請求項１】
住宅の壁に沿って形成された気密面の屋内側にふかし材が列設され、該ふかし材に壁ボードを貼設してふかし壁が設けられたふかし壁部分の気密構造であって、
前記壁ボードと天井ボードとが気密ジョイントにより接続され、前記ふかし材間に、天井ボードと略同高さとなるように、弾力性を有する気密部材が密嵌されたことを特徴とするふかし壁部分の気密構造。
【請求項２】
前記気密部材の両端部は、中央部より易変形性であることを特徴とする請求項１に記載のふかし壁部分の気密構造。
【請求項３】
前記気密部材は、独立気泡の発泡合成樹脂からなるものである請求項１又は２に記載のふかし壁部分の気密構造。
【請求項４】
前記気密ジョイントは、断面略Ｌ字型の長尺部材の内側面に弾性気密シートが貼設されたものであり、該弾性気密シートにより前記壁ボードと天井ボードとの接続部を密封するように前記ふかし材に固定されたものであることを特徴とする請求項１乃至３に記載のふかし壁部分の気密構造。
【発明の詳細な説明】
【０００１】
【発明の属する技術分野】
本発明は、ふかし壁部分の気密構造に関し、天井の気密ラインと壁の気密ラインをつなげるふかし壁部分の気密構造に関するものである。
【０００２】
【従来の技術】
図６は、従来の間仕切壁と天井の接合部の気密構造２０を示したものである。すなわち、図示するように、上面に気密シート２６が一体となるように設けられた天井ボード７が、天井面に配置された天井野縁２１の下面にビスなどの固定具によって固定された後、前記天井ボード７の下面及び床面に取付けられた断面コの字型の間仕切ランナー２２によって間仕切スタッド２３が固定され、該間仕切スタッド２３及び前記間仕切ランナー２２の両側面に間仕切ボード２４がビスなどの固定具によって取付けられたものである。
【０００３】
気密シート２６は、四角形の天井ボード７よりも若干大きい面積を有し、且つ天井ボード７と相似形の四角形に形成されたものであり、一の角部を合わせて天井ボード７の上面に配置されることにより、前記一の角部の対角において隣接する天井ボード７の２辺の端縁から突出することとなり、突出部２７が形成されている。したがって、天井ボード７が気密シート２６の突出部２７が同一方向に位置するように、そして、気密シート２６の突出部２７が隣接する他の天井ボード７の上面に設けられた気密シート２６と重なるように天井野縁２１の下面に固定することにより、天井ボード７の上面と天井野縁２１の下面との間に気密面が構成され、屋内側と屋外側との間の気密性が確保されている。
【０００４】
この天井ボード７の施工は、間仕切壁２５の設置前に行われるため、間仕切壁２５と接合していない一般部における気密面の形成と間仕切壁２５の接合部分における気密面の形成が同時に行えるため、天井と間仕切壁２５との接合部においても前記一般部と同じ気密構造を形成することができ、間仕切壁２５を施工した後に気密シート２６を取付ける場合に比べて、施工手順を簡易化して気密施工に要する作業工数を減少させると共に、施工ミスを減少させてより確実に気密性を確保することができる。
【０００５】
【特許文献１】
特開２００１−２０７５８１号公報（第３−４頁、第１図）
【０００６】
【発明が解決しようとする課題】
しかしながら、和室で内障子を設置するために、図７に示すように通常の下地材にふかし材を配設して該ふかし材に壁ボード５を貼設してふかし壁６を設けた場合、上記の天井ボード７の上面に配置された気密シート２６により形成された気密面と壁面に沿って形成された気密面３とがふかし壁６内部で繋がっていないため、天井ボード７の上方の空気がふかし壁６内部に流入してしまい、壁ボード５に結露を生じてしまう等の問題点がある。
【０００７】
本発明は、上記課題に鑑みてなされたものであって、本発明の目的は、ふかし壁内部に天井上方の空気が流入するのを防止してふかし壁部分における気密性を確保することである。
【０００８】
【課題を解決するための手段】
上記目的を達成するために、請求項１記載のふかし壁部分の気密構造は、住宅の壁に沿って形成された気密面の屋内側にふかし材が列設され、該ふかし材に壁ボードを貼設してふかし壁が設けられたふかし壁部分の気密構造であって、前記壁ボードと天井ボードとが気密ジョイントにより接続され、前記ふかし材間に、天井ボードと略同高さとなるように、弾力性を有する気密部材が密嵌されたことを特徴としている。
【０００９】
請求項２記載のふかし壁部分の気密構造は、請求項１に記載のふかし壁部分の気密構造において、前記気密部材の両端部は、中央部より易変形性であることを特徴としている。
【００１０】
請求項３記載のふかし壁部分の気密構造は、請求項１又は２に記載のふかし壁部分の気密構造において、前記気密部材は、独立気泡の発泡合成樹脂からなるものであることを特徴としている。
【００１１】
請求項４記載のふかし壁部分の気密構造は、請求項１乃至３に記載のふかし壁部分の気密構造において、前記気密ジョイントは、断面略Ｌ字型の長尺部材の内側面に弾性気密シートが貼設されたものであり、該弾性気密シートにより前記壁ボードと天井ボードとの接続部を密封するように前記ふかし材に固定されたものであることを特徴としている。
【００１２】
【発明の実施の形態】
以下、本発明に係るふかし壁部分の気密構造について図面に基づき説明する。本発明の実施の形態に係るふかし壁部分の気密構造１は、図１及び図２に示すように、住宅の壁２に沿って形成された気密面３の屋内側にふかし材４が列設され、該ふかし材４に壁ボード５を貼設してふかし壁６が設けられており、該壁ボード５と天井ボード７とが気密ジョイント８により接続され、前記ふかし材４間に、天井ボード７と略同高さとなるように、弾力性を有する気密部材９が前記ふかし材４、気密面３、及び気密ジョイント８に密接するように嵌め込まれたものである。
【００１３】
前記住宅の壁２に沿って形成された気密面３は、住宅の壁２の内側に所定の間隔で立設した下地材１２の間に断熱材１０を施工した後、図３に示すように、該断熱材１０の室内側に防湿フィルム１１を貼設することによって該防湿フィルム１１に沿って形成されるものである。なお、本発明の実施の形態においては、気密面３は住宅の外壁に沿って形成されたものであるが、気密面３が形成される前記壁２は外壁に限定されるものではなく、断熱材１０が施工されその全面を覆うように防湿フィルム１１が貼設された壁であれば、間仕切壁等であってもよい。
【００１４】
前記ふかし壁６は、図１及び図２に示すように、前記防湿フィルム１１の屋内側にふかし材４が前記下地材１２に沿って列設され、該ふかし材４に気密ジョイント８が天井ボード７を設置する高さと略同位置となるように固定され、壁ボード５が、上端部を気密ジョイント８に密接するようにしてふかし材４に固定されて構成されている。
【００１５】
前記気密ジョイント８は、図４に示すように、その断面が略Ｌ字型である長尺部材であり、その内側面であって天井ボード７と当接する面に、弾性気密シート１３が貼設されている。該弾性気密シート１３は、気密ジョイント８と略同長さで、発泡合成樹脂からなるシート状の部材である。このように構成された気密ジョイント８が、図３に示すように天井ボード７の貼設位置に、前記弾性気密シート１３が下方を向くようにふかし材４に固定され、該弾性気密シート１３が、その後に天井野縁に固定される天井ボード７の端縁の上面及び壁ボード５の上端面と圧接して、天井ボード７と壁ボード５との接続部の気密を確保するものとなっている。
【００１６】
前記気密部材９は、図５に示すように弾力性を有する略直方体形状の部材であり、中央部１５とその両端部１４とからなり、その幅Ｗはふかし材４間の距離よりも若干大きくなるように、そして、奥行Ｄは気密面３、すなわち防湿フィルム１１から気密ジョイント８までの距離よりも若干大きくなるように構成されている。なお、気密部材９の高さＨは該気密部材９を確実に配置することができ、所定の気密性を確保することができる高さであれば特に限定されるものではない。
【００１７】
前記両端部１４は、中央部よりも易変形性であり、具体的には中央部１５よりも発泡率の高い発泡合成樹脂で形成されている。一方、その中央部１５は、ふかし材４間に配設された際に略直方体形状を維持できる程度の硬さのものである。また、両端部１４を易変形性とすることにより、ふかし材４間の寸法誤差を両端部１４の変形で吸収できるので、現場で、ふかし材４間の寸法に合わせて加工する必要がなく、また、ふかし材４間に圧入することも容易となる。
【００１８】
また、気密部材９は、例えば、発泡合成樹脂から作製することができる。この発泡合成樹脂は、連続気泡の発泡合成樹脂であっても一定の気密性を確保することはできるが、より高い気密性を確保するためには、気密部材９は独立気泡の発泡合成樹脂で形成することが好ましい。このように構成された気密部材９が、ふかし材４、気密ジョイント８、及び防湿フィルム１１間の空間に圧縮されるようにして配置され、ふかし材４、気密ジョイント８、及び防湿フィルム１１と密接して、該空間の気密性を確保するようになっている。
【００１９】
前記天井ボード７は、天井野縁の下面にビスなどの固定具によって天井全面に隙間なく固定される。該天井ボード７は、天井下地を構成する板状の部材であり、気密性を有する部材で形成するとが好適であるが、その上面に気密シートを貼設して、天井面の気密を確保してもよい。これにより、天井ボード７に沿って気密面が形成される。また、壁ボード５と接する部分に固定される天井ボード７は、図１に示したように、その端縁の上面が気密ジョイント８の弾性気密シート１３と圧接し、壁ボード５と接続されている。
【００２０】
以上説明したように、壁２の下地材１２間に施工された断熱材１０の屋内側に貼設された防湿シート１１によって形成された気密面３と、ふかし材４に固定された気密ジョイント８との間には気密部材９が密接に嵌め込まれており、また、天井ボード７とふかし壁６の壁ボード５とは気密ジョイント８によって気密性が確保されている。したがって、壁２に沿って形成された気密面３と天井ボード７によって形成された天井の気密面がつながっているため、天井上方の空気がふかし壁６内に流入するのを防止してふかし壁６部分における気密性を確保することができる。なお、本発明の実施の形態においては、気密部材９はふかし材４に壁ボード５を貼設した後にふかし材４間に配置するものとしたが、壁ボード５を貼設する前に配置してもよく、この場合、気密部材９を嵌め込むふかし材４間の空隙の上方と下方が開口しているため、気密部材９をより容易に嵌め込むことができる。
【００２１】
【発明の効果】
請求項１記載のふかし壁部分の気密構造は、ふかし壁内のふかし材間に天井ボードと略同高さとなるように気密部材が密嵌されているので、壁に沿って構成された気密面と天井面に沿って構成された気密面とがつながり、天井上方の空気がふかし壁内部に流入するのを防いでふかし壁部分の気密性を確保することができる。また、気密部材は、弾力性を有しているため、ふかし材間に密接するように容易に嵌め込むことができ、ふかし材間及び気密ジョイントと気密面の間に隙間ができるのを防止して確実に気密性を確保することができる。
【００２２】
請求項２記載のふかし壁部分の気密構造は、気密部材の両端部が中央部より易変形性であるため、ふかし材間の寸法に多少の誤差があっても配置することが可能であり、木材等のように現場で加工を行う必要がないため、気密施工にかかる時間を短縮することができる。
【００２３】
請求項３記載のふかし壁部分の気密構造は、気密部材が独立気泡の発泡合成樹脂からなるものであるので、連続気泡の発泡合成樹脂からなる気密部材に比べ、より高い気密性を確保することができる。
【００２４】
請求項４記載のふかし壁部分の気密構造は、気密ジョイントが断面略Ｌ字型の長尺部材の内側面に弾性気密シートが貼設されたものであるため、壁ボードと天井ボードとの接続部が密封されて、壁ボードと天井ボードの間の気密性が気密ジョイントにより確保される。したがって、ふかし材間に、気密ジョイント及び気密面に密接するように気密部材を配置することで、ふかし壁部分の気密性を容易に確保することができる。
【図面の簡単な説明】
【図１】本発明の実施の形態に係るふかし壁部分の気密構造を示した斜視図である。
【図２】ふかし壁部分の気密構造を示した断面図である。
【図３】気密ジョイントをふかし材に固定する様子を示した斜視図である。
【図４】気密ジョイントを示した斜視図である。
【図５】気密部材を示した斜視図である。
【図６】従来の間仕切壁と天井の接合部の気密構造を示した断面図である。
【図７】従来のふかし壁と天井ボードの接合部分を示した断面図である。
【符号の説明】
１  ふかし壁部分の気密構造
２  壁
３  気密面
４  ふかし材
５  壁ボード
６  ふかし壁
７  天井ボード
８  気密ジョイント
９  気密部材
１４  両端部
１５  中央部
【図１】
2004225410.tif 000003
【図２】
2004225410.tif 000004
【図３】
2004225410.tif 000005
【図４】
2004225410.tif 000006
【図５】
2004225410.tif 000007
【図６】
2004225410.tif 000008
【図７】
2004225410.tif 000009